(57)【要約】【課題】良好な音場を形成することができ、かつ、良好な操作性を維持したままで、装置の小型化を実現できる音響再生装置を提供すること。【解決手段】音響再生装置であって、少なくとも１つのスピーカ１３と、スピーカ１３の開口１３−１が背面に位置する態様でスピーカ１３を収納するクレードル１００と、クレードル１００に取り付けられ、スピーカ１３から発生する音をクレードル１００の前方向に反射する音響反射板１２とを有する。【選択図】        図２
2006157397.tif 000002
【特許請求の範囲】
【請求項１】
音響再生装置であって、
少なくとも１つのスピーカと、
上記スピーカの開口が背面に位置する態様で上記スピーカを収納する筐体と、
上記筐体に取り付けられ、上記スピーカから発生する音を上記筐体の前方向に反射する音響反射部材と、
を有することを特徴とする音響再生装置。
【請求項２】
上記音響再生装置はさらに、上記スピーカの音像を移動する機能を有することを特徴とする請求項１に記載の音響再生装置。
【請求項３】
上記音響再生装置は、さらに、一定の周波数範囲の低音を出力する機能を有する第２のスピーカを有することを特徴とする請求項２記載の音響再生装置。
【請求項４】
上記第２のスピーカは、下方向に向けて音を放出することを特徴とする、請求項３に記載の音響再生装置。
【請求項５】
上記音響反射部材は、筐体に対して可動に取り付けられていることを特徴とする請求項１に記載の音響再生装置。
【請求項６】
上記音響反射部材は、音を反射する面が、反射方向が放物線になる態様で屈曲していることを特徴とする請求項１に記載の音響再生装置。
【請求項７】
上記音を反射する面の断面形状は、放物線の一部であることを特徴とする請求項６に記載の音響再生装置。
【請求項８】
上記スピーカは、背面の斜め上方に向けて音を放出するように、上記筐体に収納されていることを特徴とする請求項１に記載の音響再生装置。
【請求項９】
上記スピーカに対する音響信号の供給源として作用する電子機器を載置すべく上記筐体の背面以外の面に設けられ、上記電子機器と電気的に接続する電気接点を有する、載置部をさらに有することを特徴とする請求項１に関する音響再生装置。
【請求項１０】
上記筐体は、上記音響反射部材が着脱自在であり、操作者が選択した音響反射部材を取り付けられるように構成されていることを特徴とする請求項１に記載の音響再生装置。
【請求項１１】
上記音響反射部材は、少なくとも音響を反射する面が変形可能であることを特徴とする、請求項１に記載の音響再生装置。
【発明の詳細な説明】
【技術分野】
【０００１】
本発明は、例えば音声や音楽を含む音響を再生する音響再生装置に関するものである。
【背景技術】
【０００２】
スピーカの音を反射部材で反射させて聴取者に届ける技術は、特開平７−２９８３８５号公報に記載されている。この技術では、筐体の側面に各々設けられた左右のスピーカからの音を、上記筐体に取り付けられた左右の音響反射板で反射して聴取者に届けるようになっている。
【特許文献１】特開平７−２９８３８５号公報
【発明の開示】
【発明が解決しようとする課題】
【０００３】
しかしながら、上記従来技術では、スピーカの開口部が筐体の側面にあるので、聴取者に届く音は、反射板で反射された音だけでなく、スピーカから直接届く音も一部混じっていた。このため、音質がやや阻害されていた。
【０００４】
また、少なくとも使用時においては、左右に反射板が大きく張り出す形状となり、装置が置かれる場所の面積を比較的大きくとっていた。
【０００５】
また、側面の広い面積をスピーカの開口部が占めているので、操作部は装置上の小さな面積に押し込められていた。
【０００６】
本発明は、このような課題に着目してなされたものであり、その目的とするところは、良好な音場を形成することができ、かつ、良好な操作性を維持したままで、装置の小型化を実現できる音響再生装置を提供することにある。
【課題を解決するための手段】
【０００７】
上記の目的を達成するために、本発明の第１の態様は、音響再生装置であって、少なくとも１つのスピーカと、上記スピーカの開口が背面に位置する態様で上記スピーカを収納する筐体と、上記筐体に取り付けられ、上記スピーカから発生する音を上記筐体の前方向に反射する音響反射部材と、を有する。
【０００８】
（作用効果）
スピーカ開口を筐体の背面に配設し、音響反射部材によって音を反射させて前面に導く。この場合、スピーカは筐体の背面に配設されるので、聴取者に届く音は、基本的に音響反射部材によって反射された音のみであり、良好な音場が形成される。
【０００９】
また、筐体の前面や側面にスピーカを配置する必要がないので、デザイン上の自由度が増える。例えば前面・側面に操作部を、前面に表示部を設けることが使いやすさの面で好ましいが、スピーカ開口が背面にあるので、前面や側面に大きな面積を必要としない。このため良好な操作性を維持したままで、装置の小型化が可能である。例えば、後述する実施形態では、前面に電子機器を載置しているが、このような構成にしても、コンパクトな筐体で良好な音場が得られる。
【００１０】
従来、前面、側面、上面に比較して、背面と底面の利用度は低かったが、本発明はスピーカと音響反射部材の組み合わせで、背面の有効利用に道を拓くものである。
【００１１】
また、本発明の第２の態様は、第１の態様において、上記音響再生装置はさらに、上記スピーカの音像を移動する機能を有する。
【００１２】
（作用効果）
音像を移動する機能（例えば、「サラウンド機能」）を用いると、反射板の前面にある筐体を音が飛び越えやすくすることができる。このため、より良好な音が得られる。
【００１３】
また、本発明の第３の態様は、第２の態様において、上記音響再生装置は、さらに、一定の周波数範囲の低音を出力する機能を有する第２のスピーカを有する。
【００１４】
（作用効果）
１の作用効果で述べたが、本発明はコンパクトな筐体の音響再生装置を提供可能なものである。この場合、スピーカの大きさも制限されるが、低音用の別スピーカ（例えば、サブウーファ）を設けることで、より好適な音質が得られる。
【００１５】
また、本発明の第４の態様は、第３の態様において、上記第２のスピーカは、下方向に向けて音を放出する。
【００１６】
（作用効果）
下方向に低音を放出することで、さらに好適な音質が得られる。
【００１７】
また、本発明の第５の態様は、第１の態様において、上記音響反射部材は、筐体に対して可動に取り付けられている。
【００１８】
（作用効果）
音響を再生しない場合に、音響反射部材を邪魔にならないように収納できる。また、反射部材の位置を調整して、より好ましい音場を生成できる。
【００１９】
また、本発明の第６の態様は、第１の態様において、上記音響反射部材は、音を反射する面が、反射方向が放物線になる態様で屈曲している。
【００２０】
（作用効果）
筐体の前方にいる聴取者にとって、好ましい音場となる。
【００２１】
また、本発明の第７の態様は、第６の態様において、上記音を反射する面の断面形状は、放物線の一部である。
【００２２】
（作用効果）
特に、優れた音場を生成する。
【００２３】
また、本発明の第８の態様は、第１の態様において、上記スピーカは、背面の斜め上方に向けて音を放出するように、上記筐体に収納されている。
【００２４】
（作用効果）
音響反射部材の位置を、筐体に対して上方向に設けることができる。このため、音響反射部材で反射された音が筐体を越えやすくなる。
【００２５】
また、本発明の第９の態様は、第１の態様において、上記スピーカに対する音響信号の供給源として作用する電子機器を載置すべく上記筐体の背面以外の面に設けられ、上記電子機器と電気的に接続する電気接点を有する、載置部をさらに有する。
【００２６】
（作用効果）
音声信号源である電子機器が、まとまりよく収納できる。また、本音響再生装置が電子機器に対してサービス（例えば、充電など）を提供することが可能になり、利便性の向上が期待できる。
【００２７】
また、本発明の第１０の態様は、第１の態様において、上記筐体は、上記音響反射部材が着脱自在であり、操作者が選択した音響反射部材を取り付けられるように構成されている。
【００２８】
（作用効果）
状況に適した音響反射部材を選択できるので、様々な状況に応じた音場が生成できる。
【００２９】
また、本発明の第１１の態様は、第１の態様において、上記音響反射部材は、少なくとも音響を反射する面が変形可能である。
【００３０】
（作用効果）
音響反射面を状況に適した形状に変形できるので、様々な状況に応じた音場が生成できる。
【発明の効果】
【００３１】
本発明によれば、良好な音場を形成することができ、かつ、良好な操作性を維持したままで、装置の小型化を実現できる。
【発明を実施するための最良の形態】
【００３２】
図１は、本発明の一実施形態に係る音響再生装置の正面図であり、図２は側面図である。図１及び図２からわかるように、本音響再生装置の筐体（以下、クレードルと呼ぶ）１００は全体として、三角柱を寝かしたような形状をしており、その前面には電子装置（例えば、デジタルカメラ）を載置する載置部１０が設けられている。載置部１０の底面には電気接点１１が配設されており、載置された電子機器と電気信号又は電力を交換・伝達可能になっている。図３、図４は、電子装置１３をクレードル１００の載置部１０に載置した状態を示す図であり、図３は正面図、図４は側面図である。
【００３３】
本実施形態の音響再生装置では、載置された電子機器１３を上記電気接点１１を通じて充電可能であり、充電用載置台としての機能も具備している。また、上記電気接点１１は、電子機器１３の中に収納された記録媒体に記録された音響データを、本音響再生装置に伝達するインタフェースでもある。本実施形態に係る音響再生装置の操作者は、電子機器２００を載置することにより、当該電子機器２００の充電と、当該電子機器２００に収納されている音響データの再生が可能となっている。もちろん、本音響再生装置にＵＳＢ端子や、ＬＡＮ端子を装備させることにより、さらに多様な機能を具備させることができるのは、当業者には容易に理解できることである。
【００３４】
さて、本クレードル１００の背面には、音響再生用のスピーカ１３の開口１３−１が設けられている。スピーカ１３は左右一対が筐体内部に収納されている。各スピーカ１３が図示するように傾いて取り付けられているので、スピーカ１３から放出される音は、概ね斜め上方に向かって進むことになる。なお、本実施形態では、上記開口１３−１はスピーカカバー（布）１３−２によって覆われているので、外観にはスピーカ１３の開口１３−１は現れない。
【００３５】
本クレードル１００の前面の斜面と背面の斜面が交わる上部には、音抜き孔１３−３が設けられている。
【００３６】
さて、クレードル１００の背面下部において、可動な態様で音響反射部材である音響反射板１２が取り付けられている。本実施形態では背面下部のヒンジ部１２−１において、音響反射板１２が回動可能となっている。しかし、これに限らず、音響反射板１２がスライドするような態様も可能である。いずれにしても、音響反射板１２を可動とすることで、適切な音場になるように位置や傾きを調整できるし、また、不使用時に邪魔にならないように音響反射板１２を収納もできる。
【００３７】
音響反射板１２は、スピーカ１３からクレードル１００の後方斜め上方に向けて放出された音を、前方向に反射するものである。音響反射板１２はヒンジ部１２−１で着脱自在であり、操作者は、本音響再生装置が使用される状況に応じて、適切な形状の音響反射板１２を選択して取り付けられるようになっている。また、本実施形態では音響反射板１２はプラスチックで形成したが、例えば、金属材料で形成して、所望の形状に変形・維持が可能にしてもよい。
【００３８】
音響反射板１２の形状は、反射方向が放物線になる形状であることが音の定位の観点から好ましく、特には断面形状が放物線であるような形状が好ましい。
【００３９】
筐体の中には図示しないスピーカ駆動回路が収納されており、上記収納回路はスピーカ１３の音像を移動する機能（例えば、サラウンド）を持つものである。この機能により、音響反射板１２の前に位置する筐体を飛び越えて、音が聴取者に到達しやすくなる。
【００４０】
図５は、音響反射板１２をクレードル１００に取り付ける際に取り得る３つの異なる位置（Ａ）、（Ｂ）、（Ｃ）を示す図である。（Ｃ）は音響反射板１２を直立させた状態を示し、（Ａ）は直立状態より後方に所定角度だけ傾斜させた状態を示し、（Ｂ）は直立状態より前方に所定角度だけ傾斜させた状態を示している。また、図６の（Ａ），（Ｂ），（Ｃ）は、音響反射板１２が図５に示す各位置（Ａ）、（Ｂ）、（Ｃ）にあるときの周波数特性を示している。縦軸はパワー（Ｐ）であり、横軸は周波数（ｆ）である。図６に示すように、本装置の周波数特性は音響反射板１２の傾斜位置によって変化し、（Ｂ）の直立状態のときに、高音領域の特性が良好かつフラットになることがわかる。
【００４１】
図７（Ａ），（Ｂ）は、本音響再生装置に接続可能な第２のスピーカとしてのサブウーファ３００の概略構成を示す図であり、図７（Ａ）は上面断面図であり、図７（Ｂ）は側面断面図である。サブウーファ３００には、一対のスピーカ３０１−１，３０１−２が配置され、それぞれがＬチャンネル＋Ｒチャンネルの一定の周波数範囲の低音を出力可能である。このようなサブウーファ３００を接続することによりより好適な音質が得られる。なお、サブウーファ３００の底部には低音を下方向に放出するための音抜き穴３０２が設けられている。
【００４２】
図８はサブウーファ３００の配置に応じて変化する周波数特性を比較して示す図である。サブウーファ３００を横にした場合（図８（Ａ））には、図８（Ｂ）のような周波数特性が得られ、サブウーファ３００を床に置いた場合（図８（Ｃ））には、図８（Ｄ）のような周波数特性が得られる。２つの周波数特性を比較するとわかるように、サブウーファ３００を床において音抜き穴３０２を下に向けた場合には、低音（低周波）領域におけるパワーがより大きく周波数特性が滑らかになることがわかる。
【００４３】
図９は、本音響再生装置により音響再生を行うときのシステムブロック図である。クレードル１００にはデジタルカメラ等の電子機器２００が載置されており、第２のスピーカとしてのサブウーファ３００が接続されている。クレードル１００内のコントロール部１０１は以下に述べる各部の動作を制御する部分である。また、クレードル１００内の電源１０５から電子機器２００及びサブウーファ３００に対して電力が供給される。
【００４４】
電子機器２００から転送された音響データはクレードル１００内のインタフェース（ＩＦ）部１０２において、アナログ信号に変換されるとともに、ＬチャンネルとＲチャンネル信号に分離される。Ｌチャンネル信号はハイパスフィルタ（ＨＰＦ）１０３により高周波成分が抽出された後、増幅器１０６により増幅されて、Ｌ用スピーカ１０８から出力される。また、Ｒチャンネル信号はハイパスフィルタ（ＨＰＦ）１０４により高音及び中音成分が抽出された後、増幅器１０６により増幅されて、Ｒ用スピーカ１０９から出力される。
【００４５】
クレードル１００に設けられたスイッチ１１０はサラウンド機能をＯＮ，ＯＦＦするためのスイッチである。従って、スイッチ１１０によりサラウンド機能がＯＮされた場合にはＩＦ部１０２内のサラウンド処理部１０２−１において入力された音響データに対して音像を移動するサラウンド処理が施される。また、スイッチ１１１はモード切り替えスイッチであり、ＯＦＦされたときにはシアターモードに切り替わって音響データの位相を９０度だけずらすことにより音域を広げる。また、ＯＮされたときにはミュージックモードに切り替わるが、この場合には音響データの位相をずらさない。
【００４６】
また、サブウーファ３００が接続されている場合にはＬチャンネル＋Ｒチャンネルの信号がサブウーファ３００に入力され、ローパスフィルタ（ＬＰＦ）３１０により低音成分が抽出された後、増幅器３１１により増幅されてスピーカ３１２から出力される。
【００４７】
以下に、操作者（聴取者）が本音響再生装置を使用して音を聴取する手順を説明する。まず、操作者は、音響データを収納するデジカメなどの電子機器２００をクレードル１００の載置部１０に載置する。これにより、電子機器側の電気接点と上述したクレードル１００の電気接点１１が接触し、両者間で電気的導通がされる。すると、本音響再生装置の操作は、上記電子機器２００側の操作部材を使って行うことが可能になる。
【００４８】
操作者は電子機器２００側の液晶表示部を参照しながら、本音響再生装置で再生する音響データを、その収容する記憶媒体（例えば、ＸＤピクチャーカード）に記録された音響データ群から選択する。上記選択がなされると、選択された音響データは、上記電子機器２００から本音響再生装置内の記録媒体に転送され、再生の準備が成される。
【００４９】
次に操作者は、電子機器２００側の操作部で、電子機器２００側の表示部を参照しながら、音像の位置を動かす機能（例えば、サラウンド機能）を使って、望ましい音場が形成されるように調整を行う。そして、電子装置２００側の再生開始ボタンを押す。
【００５０】
すると、本音響再生装置側では、電子機器２００から転送された音響データをＩＦ部１０２に読み出し、指定された音像の位置調整などの必要な加工を施す。この加工には、圧縮の解除、ＤＡ変換、増幅、周波数に応じた増幅率の調整などが含まれる。音響信号は、ＨＰＦ１０３，１０４及び増幅器１０６，１０７を介して、最終的にスピーカ１０８，１０９を駆動可能な形に整えられ、スピーカ１０８，１０９を駆動する。
【００５１】
スピーカ１０８，１０９からは、上記駆動信号に応じた音響が放出されるが、上述したように、一旦、当該音響は装置後方の斜め上方向に進行する。スピーカ１０８，１０９の後方に配設された音響反射板１２は当該音響を反射し、装置の前にいる操作者（聴取者）に向けて音響を進ませる。
【００５２】
この場合、操作者は音響反射板１２を移動させたり、他の音声反射板１２に取り替えたり、音声反射板１２の形状を変化させたりして、所望の音場が得られるように調整できる。また、音場を移動する機能を使用して、音場を変更してもよい。
【図面の簡単な説明】
【００５３】
【図１】本発明の一実施形態に係る音響再生装置の正面図である。
【図２】本発明の一実施形態に係る音響再生装置の側面図である。
【図３】電子装置１３をクレードル１００の載置部１０に載置した状態を示す正面図である。
【図４】電子装置１３をクレードル１００の載置部１０に載置した状態を示す側面図である。
【図５】音響反射板１２をクレードル１００に取り付ける際に取り得る３つの異なる位置を示す図である。
【図６】音響反射板１２が図５に示す各傾斜位置（Ａ）、（Ｂ）、（Ｃ）にあるときの周波数特性を示す図である。
【図７】本音響再生装置に接続可能な第２のスピーカとしてのサブウーファ３００の概略構成を示す図である。
【図８】サブウーファ３００の配置に応じて変化する周波数特性を比較して示す図である。
【図９】本音響再生装置により音響再生を行うときのシステムブロック図である。
【符号の説明】
【００５４】
１０  載置部
１１  電気接点
１２  音響反射板
１２−１  ヒンジ部
１３  スピーカ
１３−１  スピーカ開口
１３−２  スピーカカバー
１３−３  音抜き穴
１００  クレードル
２００  電子機器（デジタルカメラ）
３００  サブウーファ
【図１】
2006157397.tif 000003
【図２】
2006157397.tif 000004
【図３】
2006157397.tif 000005
【図４】
2006157397.tif 000006
【図５】
2006157397.tif 000007
【図６】
2006157397.tif 000008
【図７】
2006157397.tif 000009
【図８】
2006157397.tif 000010
【図９】
2006157397.tif 000011